(57)【要約】  本発明は、座席クッション及び背もたれを有する車両座席用の肘掛けにおいて、肘掛けは、第１に活動位置と第２折りたたみ位置との間を回転軸回りに回転するようになっておあり、該肘掛けは、上部であって、該上部は、活動位置では、その縦軸が、車両座席の外縁部面を構成する側面を通る実質的な垂直面に実質的に平行になるように位置付けられて、使用者の前腕を支持するようになっている上部と、上部を車両座席に取り付けるための固定装置を有する少なくとも１つの下部とを備える肘掛けに関する。該下部は、上部を横方向において、前記側面より外の第１位置と、調節可能な第２位置との間で設定するように構成されたリンク機構と、上部が前記第２位置へ移動した後、上部を設定位置にロックするキャッチを作動させるように構成されたロッキング装置とを備える。また本発明は、そのような肘掛けを備える車両座席およびそのような肘掛けを備える車両に関する。【選択図】図５
2008515713.tif 000002
【特許請求の範囲】
【請求項１】
座席クッション及び背もたれを有する車両座席用の肘掛けにおいて、肘掛けは、前記座席クッションの上方にあってそれに実質的に平行である第１活動位置と、前記背もたれの脇の第２折りたたみ位置との間を回動軸回りに回転するようになっており、該肘掛けは、上部であって、該上部は、活動位置では、その縦軸が、車両座席の外縁部面を構成する側面を通る実質的な垂直面に実質的に平行になるように位置付けられて、使用者の前腕を支持するようになっている上部と、上部を車両座席に取り付けるための固定装置を有する少なくとも１つの下部とを備える肘掛けであって、下部は、上部を横方向において、前記側面より外の第１位置と、肘掛けがその活動位置にあるときの調節可能な第２位置との間で設定するように構成されたリンク機構と、上部が前記第２位置へ移動した後、上部を設定位置にロックするキャッチを作動させるように構成されたロッキング装置とを備えることを特徴とする、肘掛け。
【請求項２】
前記ロッキング装置は、調節可能な第１ロッキング機能部であって、第１位置において、ロッキングラグに係合し、それにより、リンク機構をその事前設定位置にロックできるように構成され、また第２位置において、前記ロッキングラグから解放され、それにより、前記第１位置に戻るように構成された調節可能な第１ロッキング機能部を備えることを特徴とする、請求項１に記載の肘掛け。
【請求項３】
前記第１ロッキング機能部は、肘掛けの回動軸に対して直角をなす回動軸を有するレバーを備え、該レバーの一端部は、前記ロッキングラグと相互作用する接触面を有することを特徴とする、請求項２に記載の肘掛け。
【請求項４】
前記レバーの他端部には、無段調節可能であり、また、接触面をロッキングラグに対して設定できるように、下部に対してロック可能であるように構成された設定装置が設けられていることを特徴とする、請求項３に記載の肘掛け。
【請求項５】
リンク機構は、上部の設定時に上部を実質的に水平に移動させるように構成された平行ストラットを備えることを特徴とする、請求項１乃至４のいずれかに記載の肘掛け。
【請求項６】
平行ストラットは、リンク機構を上部の第１位置の方へばね式に進めるための少なくとも１つのばね機能部を備えることを特徴とする、請求項５に記載の肘掛け。
【請求項７】
前記車両座席に固定装置によって取り付けられた、請求項１乃至６のいずれかに記載の少なくとも１つの肘掛けを有する車両座席。
【請求項８】
請求項１乃至６のいずれかに記載の少なくとも１つの肘掛けを備えた車両座席を備える車両。
【発明の詳細な説明】
【技術分野】
【０００１】
本発明は、請求項１の前文に従った、車両内で座席とともに使用される肘掛けに関する。本発明はまた、そのような肘掛けを備えた車両座席、及びそのような肘掛けを有する車両に関する。
【背景技術】
【０００２】
本発明は、さまざまなタイプの車両に適用可能であるが、以下には、特許によって与えられる保護を制限する目的ではなく、説明のために、肘掛けをホィールローダなどの作業車両にいかに使用できるかを記載する。ホィールローダタイプの車両は、簡単且つ快適な操作を行うための機器を備える場合が多い。たとえば、車両の制御は、運転席に着座している運転者が、自分の腕を肘掛けに載せながら、レバーで車両を制御することができるように、肘掛けに取り付けられたレバーを使用して行われる。異なったギアの選択、又は車両の前進及び後退の切り換えを行うための変速機の制御などの他の機構も、肘掛けに組み込んで、肘掛け上に配置されたボタン又は他の形式の制御部によって操作することができる。
【０００３】
肘掛けは、走行方向に見て運転席の左側に取り付けられることが多いが、通常はほぼ水平又はわずかに前方に傾斜した作動位置から、おおよそ垂直に折りたたまれた不活動位置へ後方に折って、それにより、運転者が乗り降りするとき、車両内の運転席とハンドルとの間の場所を取らないようにすることができる。また、肘掛けは、運転席に対する肘掛けの前後方向の位置を設定するための機構を有し、それにより、運転者が肘掛けの、したがって、制御レバーの必要な操作位置を個別に選択できるようにすることが多い。
【０００４】
従来より既知の肘掛けの問題は、それらが、さまざまな運転者の体の大きさのばらつきを十分に考慮に入れていないことである。このことは、運転席内での（異なった運転者でほぼ同一である）着座位置と、車両の走行方向に対して直角をなす水平方向、すなわち横方向における運転者用の肘掛け上の腕支持位置との間に必要な距離が、人によって異なるので、運転者用の作業位置は、特定の体の大きさである運転者にだけ最適であることを意味する。作業位置が好ましくないと、結果的に運転者が作業を実行することがより困難になる可能性があり、ストレス障害を生じる危険もある。
【０００５】
さらなる問題は、横方向における肘掛けの調節が通常、運転者の降車に関連した上方／後方への肘掛けの折りたたみ移動とのぶつかり合いを生じることである。また、運転者が乗り込んだ後、肘掛けを下げるとき、新たな横方向調節が必要になるであろう。これらの問題は両方とも、運転者を悩ますものと認識されるであろう。
【０００６】
本発明の目的は、従来より既知の技術に関連した上記問題を大幅に軽減するとともに、体の大きさに関係なく、すべての運転者にとって人間工学的な作業位置を可能にする肘掛けを提供することである。本発明のさらなる目的は、運転者の移動自由を損なうことなく、作動位置から上方へ折りたたんだ不活動位置への、又はその逆の肘掛けの移動を実行するための新しい機構を配置する必要なく、肘掛けの確実且つ簡単な折りたたみを実行できるようにしなければならないことである。
【発明の開示】
【０００７】
上記目的は、請求項１に記載の肘掛け、請求項７に記載の、そのような肘掛けを備える車両座席、及び請求項８に記載の、そのような肘掛けを有する車両によって達成される。
【０００８】
第１実施形態によれば、本発明は、座席クッション及び背もたれを有する車両座席用の肘掛けであって、肘掛けは、上記座席クッションの上方にあってそれにほぼ平行である第１活動位置と、上記背もたれの脇の第２折りたたみ位置との間を回動軸回りに回転するようになっている、肘掛けを備える。肘掛けは好ましくは、車両座席の、出口又はドアの外側に取り付けられることができるが、座席の両側に取り付けられることもできる。
【０００９】
肘掛けは、上部又は支持面を有し、これは、活動位置では、その縦軸が、車両座席の外縁部面を構成する側面を通る実質的な垂直面に実質的に平行になるように位置付けられて、使用者の前腕を支持するようになっている。以下の文脈において、上記平面に対する上部の位置は、車両座席の外縁部面に対してこの平面の外側及び内側の水平位置のことを表すであろう。本発明に関連して、支持面の実質的な縦軸は、車両座席の主側面に対してほとんど平行であると仮定されるであろう。
【００１０】
肘掛けを使用者の肘に対して傾斜させることができるようにすることを目的として、支持面は、支持面を水平面上で回転させるための調節装置を備えることもできる。
【００１１】
少なくとも１つの下部が、上部を車両座席に取り付けるための固定装置を備えている。したがって下部は、車両座席に、又はこれを支持するフレームに直接的に取り付けられた単一部分を有することができる。代替として、下部は、上部と車両座席に取り付けられた第２部分との間に取り付けられた第１部分を有することができる。下部は、その下端部に回動軸を有し、肘掛けは、この回動軸を中心にして折りたたまれるように構成されている。回動軸は、車両座席の縦軸に対して実質的に直角をなす位置にあり、車両座席のフレームへの、又は車両座席のフレームに取り付けられた第２下部への取り付け部を有することができる。
【００１２】
下部は好ましくは、上部を横方向において、上記側面より外の位置であって、肘掛けをそこから折りたたむことができる第１位置と、使用者が設定してロックする調節可能な第２位置との間で設定するように構成されたリンク機構を備える。この目的のために、下部は好ましくは、ロックされることができる設定装置を有するロッキング装置を備える。第２位置は好ましくは、上記外縁部面に対して上記座席クッションの方へ実質的に水平方向に変位するように位置付けられ、それにより、肘掛けの上部は、完全又は部分的に座席クッションの上方に位置する。リンク機構は好ましくは、上部の設定時に上部をほぼ水平に横移動させるように構成された２つの平行ストラットを備える。この目的のために、リンク機構の平行ストラットは、肘掛けの上部の下方に取り付けられた２つの上側軸回り、且つ下部の回動軸に関連させて取り付けられた２つの下側軸回りに回動することができる。上側軸及び下側軸は好ましくは、座席クッションの縦軸に平行に位置付けられる。平行ストラットはまた、リンク機構を上部の第１位置の方へばね式に進めるための少なくとも１つのばね機能部を備えることができる。このばね機能部は、使用者に最も近い位置にある上側軸と、使用者から最も遠い位置にある下側軸との間に取り付けられることができる。下部の回動軸に関連して、上部が上記第１位置から上記第２位置へ移動した後、上部を事前設定位置にロックするキャッチを作動させるように構成されたロッキング装置がある。肘掛けを活動位置から折りたたみ位置へ折るとき、肘掛けをその不作動位置へ折りたたむことができるようにするために、上記ロッキング装置は、上部をその事前設定位置から解放し、その後、肘掛けをその第１位置へ移動させることができるように構成されている。
【００１３】
水平面上に向けられた部分を有する方向に肘掛けの上部を移動させることにより、ロック可能な設定装置によって肘掛けの上部を異なる位置に設定することができ、それにより、座席に対する支持ユニットの横方向の位置が可変になるので、各使用者は、自分の体の大きさに適した快適な作業位置を達成するために、座席及び支持ユニット間の最も好ましい距離を選択して設定することができる。
【００１４】
上記ロッキング装置は好ましくは、調節可能な第１ロッキング機能部であって、第１位置において、ロッキングラグに係合し、それにより、リンク機構をその事前設定位置にロックできるように構成され、また第２位置において、上記ロッキングラグから解放され、それにより、上記第１位置に戻るように構成された、調節可能な第１ロッキング機能部を有する。ロッキングラグは好ましくは、車両座席又はそのフレームに、肘掛けの回動軸に関連させて取り付けられる。第１ロッキング機能部は、肘掛けの回動軸に対して直角をなす回動軸を有するレバーを備え、該レバーの一端部が、上記ロッキングラグと相互作用する接触面を有する。レバーの他端部には、上記ロック可能な設定装置の形の固定装置が設けられ、この設定装置は、無段調節可能であるとともに、接触面を上記第２位置に対応する位置に設定することができるように、下部に対してロック可能であるように構成されている。上記第２位置の設定は、設定装置を解除し、肘掛けを車両座席に対して必要位置に移動させ、そこで設定装置をロックすることにより、適当に実行される。この設定の結果として、レバーの接触面が下部に対して移動し、それにより、必要位置に達するまで、接触面はロッキングラグに係合しない。したがって、肘掛けを下ろすとき、使用者は上部の横方向の設定を繰り返す必要がない。肘掛けを活動位置に下ろした後、使用者は、ばね仕掛けの上部を第１位置から第２設定位置へ、自分の方に引き寄せるだけでよく、その時、レバーの接触面は自動的に移動して、上記ロッキングラグと接触し、それによってロックされるであろう。
【００１５】
好適な実施形態によれば、肘掛けは、それが自重によって、その折りたたみ位置及びその下ろした活動位置の両方において所定位置に保持されるように、その回動軸に対して傾斜することができる。したがって、肘掛けの回動軸は、必要な端部位置間の扇形を構成するために、肘掛けの傾斜移動を制限する２つのストッパを備えるだけでよい。
【００１６】
代替として、上記ロッキング装置には、第１位置において、上部をその第１位置から第２位置へ移動させるとき、肘掛けの回動軸に関連してロッキング面に係合するように構成され、また、上部をその第１位置に戻したとき、解放されるように構成された第２ロッキング機能部を設けることができる。上部がその第１位置を取ったとき、第２ロッキング機能部は自動的に解放されることができる、又は肘掛けの折りたたみに関係する使用者の動作によって、手動で解放されることができる。第２ロッキング装置の別の代替実施形態は、好ましくは座席のフレームに取り付けられた手動操作式キャッチを有し、このキャッチをばね仕掛けにより、肘掛けの回動軸に係合させることができる。以上のロッキング装置は、その折りたたみ位置及びその下ろした活動位置の両方において、肘掛けをロックするように構成されることもできる。
【００１７】
本発明はまた、上記記載に従った少なくとも１つの肘掛けを有する車両座席であって、肘掛けを固定装置によって上記車両座席に取り付けた、車両座席に、また、少なくとも１つの肘掛けを備えた車両座席を有する車両に関する。
【００１８】
本発明の他の利点は、以下の説明及び従属請求項から明らかになるであろう。
【発明を実施するための最良の形態】
【００１９】
次に、添付の概略図に示された実施形態を参照しながら、本発明をさらに詳細に説明する。
【００２０】
図１は、座席クッション２及び背もたれ３を有する車両座席１と、本発明による肘掛け４とを概略的に示す。肘掛け４は、従来通りに垂直方向Ａに、また、車両座席１に対して長さ方向Ｂに調節可能である。肘掛け４の上部は、前腕を支持する後部５と、多数の操作制御部（図示せず）を備えた前部６とからなり、この前部６に運転者の手が載る。図２は、いかにして肘掛け４を、矢印Ｃで示されるように、概略的に示された回動軸Ａ１を中心にして活動第１位置７から折りたたみ第２位置８へ折ることができるかを示す。その折りたたみ位置８では、車両の乗り降りをより容易にするために、肘掛け４は、背もたれ３に対して実質的に平行な位置にある。
【００２１】
図３は、肘掛け４がその活動位置にある車両座席１の正面図を示す。肘掛け４は、回転できるように回動軸Ａ１の周囲に取り付けられた下部分９に取り付けられている。下部分９は、平行なストラット１０、１１を有し、このストラットにより、肘掛け４の上部５、６が車両座席の実質的な縦軸Ｘ（図４を参照）に対して横方向に移動することができる。したがって、上部５、６を、肘掛け４が、座席クッション２及び背もたれ３の外縁部に沿った垂直面（図示せず）より外に位置する第１位置Ｐ１から、運転者が設定する第２位置Ｐ２までの距離Ｄだけ移動させることができる。より詳細に後述するロッキング装置１２が、回動軸Ａ１に関連させて取り付けられている。
【００２２】
図４は、肘掛け４を備えた車両座席１の平面図を示し、肘掛けの上部５、６が活動位置７にあって、座席の実質的な縦軸Ｘに平行に、且つそれに近づく方向に距離Ｄだけ移動している。肘掛け４を折りたたむためには、矢印Ｅで表されるように、これをその第２位置Ｐ２から解放してその第１位置Ｐ１へ移動させ、さらに、その活動位置７から折りたたみ位置８へ折りたたまなければならない。
【００２３】
図５は、本発明の好適な実施形態による肘掛けを示す。図１〜図４の参照番号を使用すると、肘掛け４は、平行なストラット１０、１１を有する下部９に取り付けられた上部５、６を有する。したがって、上部５、６の長さ調節機能部（図１を参照）が、上部５、６と下部との間の固定部内に組み込まれている。下部９の回動軸Ａ１は、回転できるようにブラケット１３に取り付けられており、このブラケットには、車両座席のフレーム（図示せず）に取り付けるための２つの固定装置１４、１５が設けられている。肘掛け４に対する座席クッション２及び背もたれ３のおおよその位置が、破線によって表されている。ブラケット１３の高さは、２つのスライドに沿って移動させて、ロッキング装置１７によって必要位置にロックされることができる調節機能部１６によって設定されることができる。肘掛けの長さ方向及び垂直方向の位置を設定するための設定機構は、本発明の一部ではなく、より詳細には説明しない。
【００２４】
肘掛けの下部９は、ロッキング装置１２によって所定位置にロックされ、ロッキング装置１２は、肘掛けの上部５、６を横方向の設定位置に保持するための第１ロッキング機能部を有する。第１ロッキング機能部は、上部５、６を横方向に設定するための設定装置１８によってロック及び解除が行われることができる。このロッキング機能部については以下に詳細に後述する。
【００２５】
図５に示された例の肘掛けは、ブラケット１３によって車両座席に取り付けられている。代替実施形態では、肘掛けを車両の別の部分に、たとえば運転席の近くで車両の床に取り付けることもできるであろう。
【００２６】
図６は、肘掛けの上部が使用者の設定位置に位置付けられているときの下部９及びその第１ロッキング機能部１９の部分拡大図を示す。
【００２７】
調節可能な第１ロック機能部１９は、図示のその第１位置において、ロッキングラグ２０に係合し、それにより、リンク機構をその事前設定位置にロックするように構成され、また第２位置において、上記ロッキングラグから解放され、それにより、上記第１位置に戻るように構成されている。ロッキングラグ２０は好ましくは、肘掛けの回動軸Ａ１に関連させて車両座席１３に取り付けられる。第１ロッキング機能部１９は、肘掛けの回動軸Ａ１に対して直角をなす回動軸Ａ２を有するレバー２１を備え、このレバーの第１端部は、上記ロッキングラグ２０と相互作用する接触面２２を有する。図示の活動位置では、ロッキングラグ２０及びレバーの第１端部の両方が、下部の回動軸Ａ１を有する固定装置２４上の共通の接触面２３と接触している。回動軸Ａ１及びその軸を取り囲む固定装置２４は、車両座席のフレーム１３内の実質的に円形の開口２７内に、回転できるように取り付けられている。固定装置２４の接触面２３にストッパ２５が設けられ、その接触面は、ロッキングラグ２０の方に面して、第２位置を迅速に特定できるようにすることを目的としている。肘掛けがその事前設定第２位置に近づくと、レバー２１の、第１接触面２２と反対側に面する第２接触面２６がストッパ２５と接触する。同時に、レバーの第１接触面２２は、ロッキングラグ２０を通過しており、それにより、肘掛けがその自重によって前方／下向きに傾き、それが、回動軸Ａ１を中心にした回転力を発生することによって、これらを互い接触させる。また、ストッパ２５は、肘掛けが第２設定位置を通過する望ましくない移動を防止する。レバー２１の第２端部に、上記ロック可能な設定装置１８の形の固定機能部が設けられており、この設定装置は、無段調節可能且つ下部９に対してロック可能に構成され、それにより、接触面２２を上記第２位置に対応する位置に設定することができる。図８に示すように、設定装置１８は、下部９を構成するＵ字形材内の開口（図示せず）に挿通されている。設定装置１８は、レバーの第２端部に取り付けられており、締め付け時に、下部９に対するレバーの位置をロックすることができる。設定装置内の回転軸が、上記開口をレバーの回動軸Ａ２に平行に貫通しており、この開口は、レバー２１の回動軸Ａ２を中心とする円弧形のスロットを形成している。レバー２１は、細長い部材からなり、その一端部が、回動軸Ａ２に対して直角をなして下方に延出して、Ｕ字形材の端部を越えて、車両座席に取り付けられたロッキングラグ２０に関連する下方位置に達している。レバーの第２端部は、Ｕ字形材の一方の脚部の内壁に沿って上方に延びて、設定装置１８に達している。上部の第２位置の設定は、図６に矢印Ｆで示されているように、設定装置１８を解除して、上部を車両座席に対して必要な位置まで移動させ、それから設定装置１８をロックすることによって行われる。この設定は、下部９に対するレバーの接触面２２の移動を伴い、それにより、必要な第２位置に達するまで、接触面がロッキングラグ２０に係合しない。
【００２８】
したがって、肘掛けを下ろすとき、使用者は上部の横方向の設定を繰り返す必要がない。肘掛けを活動位置に倒した後、使用者はばね式上部５、６を、第１位置から設定の第２位置へ、自分の方に引き寄せるだけでよい。肘掛けの、その回動軸Ａ１を中心にした回転力の結果として、レバーの接触面２２は、該接触面２２がロッキングラグ２０を通過するとき、上記ロッキングラグ２０と接触する位置へ自動的に移動させられて、それによってロックされる。
【００２９】
図７は、肘掛けの上部が上方へ折りたたむための位置にあるときの下部９及びその第１ロッキング機能部１９の部分拡大図を示す。
【００３０】
肘掛けを折りたたむことができるためには、使用者は最初に、上部をその第２設定位置から解放して、それを第１位置へ戻さなければならない。これは、使用者が肘掛けを持って、矢印Ｇで示すように、わずかな距離だけ後方に傾けることによって行われる。この傾きが、ロッキングラグ２０に関連するレバー２１の厚さを越えると、レバー２１は、ロッキングラグ２０を越えて固定装置２４の接触面２３に沿って移動させられることができる。この移動は、肘掛けの上部がその第２設定位置からその第１位置へ移動する間に実行される。
【００３１】
この移動は、上部５、６を支持する下部９内の平行ストラット１０、１１をばね仕掛けにすることによって達成される（図３を参照）。必要ならば、もちろんその移動をユーザが手動で補助する、又は実行することもできる。
【００３２】
図８は、図５に示された側面図と同一平面上で見た、下部９を通る断面図を示す。この図は、固定装置２４及び下部の回動軸Ａ１を取り付ける円形部材２９を示す。この部材２９は、車両座席のフレーム内の対応の開口（図５及び図６を参照）内に取り付けられるようになっている。下部９の上部分上の傾斜面が、肘掛けの上部用の当接部を形成している（図５を参照）。またそれは、回転させることができる設定装置１８の軸３０が、下部９内の上記開口３１内を、レバーの回動軸Ａ２に平行に延びる様子を示し、この開口が、レバー２１の回動軸Ａ２を中心にした円弧形のスロット（図９を参照）を構成している。図８はまた、平行ストラット１０、１１を有するリンク機構を上部の第１位置の方へばね式に進めるためのコイルばね３２の形のばね機能部を示す。第１平行ストラット１０は、下部のＵ字形材によって形成された第２平行ストラット１１の内側に延びている。第１内側平行ストラット１０は、下部の回動軸Ａ１から外れた位置で、下部９の上部分内の上側軸３３と固定装置２４内の下側軸３４との間に取り付けられている。第２外側平行ストラット１１は、下部９の上部分内の上側軸３５と、下部の回動軸Ａ１を構成する下側軸との間に取り付けられている。コイルばね３２は、外側平行ストラット１０の上側軸３５と内側平行ストラット１１の下側軸３４との間に取り付けられている。それにより、使用者に近づく方向への肘掛けの上部５、６の移動は、コイルばね３２によって打ち消され、コイルばね３２は、上部を肘掛けの第１位置の方へ付勢する。
【００３３】
図９は、図８に示されている図面に対して直角をなす、下部９を通る断面図を示す。この図は、コイルばね３２を外側平行ストラット１０の上側軸３５と内側平行ストラット１１の下側軸３４との間に斜めに取り付けたところを示す。また、回転させることができる設定装置１８の軸３０と相互作用する下部９内の開口３１が、（破線で）表示されている。
【００３４】
本発明は、上記実施形態に制限されることはなく、添付の特許請求の範囲の枠組み内で自由に変更されることができる。
【図面の簡単な説明】
【００３５】
【図１】本発明による車両座席の概略的側面図を示す。
【図２】折りたたみ式肘掛けを備えた図１による車両座席を示す。
【図３】本発明による車両座席の概略的正面図を示す。
【図４】本発明による車両座席の概略的平面図を示す。
【図５】本発明の一実施形態による折りたたみ式肘掛けを示す。
【図６】ロック位置にある肘掛けの下部の部分拡大図を示す。
【図７】折りたたみ用の位置にある肘掛けの下部の部分拡大図を示す。
【図８】図５に見える下部の側面図を通る断面図を示す。
【図９】図８に示された下部に対して直角をなす断面図を示す。
【図１】
2008515713.tif 000003
【図２】
2008515713.tif 000004
【図３】
2008515713.tif 000005
【図４】
2008515713.tif 000006
【図５】
2008515713.tif 000007
【図６】
2008515713.tif 000008
【図７】
2008515713.tif 000009
【図８】
2008515713.tif 000010
【図９】
2008515713.tif 000011
【国際調査報告】
2008515713.tif 000012
2008515713.tif 000013
2008515713.tif 000014